(57)【要約】【課題】インレットに外力が作用したときに、インレットと母管との接合箇所のみに応力が集中することを抑えることができる燃料配管を提供する。【解決手段】燃料配管１００は、筒形状に形成されている母管１０と、母管１０に接合されていて、該母管１０に燃料を流入させるためのインレット２０と、母管１０に接合されていて、母管１０に流入した燃料を燃料噴射弁に供給するための複数のソケット３０と、複数のソケット３０を支持するブラケット４０とを備える。ブラケット４０は、板状に形成されているとともにソケット３０をそれぞれ支持している支持部５５同士が繋がっており、インレット２０とブラケット４０とを連結する支持台９５を有する。【選択図】図１
2019108864.tif 000002
【特許請求の範囲】
【請求項１】
筒形状に形成されている母管と、
前記母管に接合されていて、該母管に燃料を流入させるためのインレットと、
前記母管に接合されていて、前記母管に流入した燃料を燃料噴射弁に供給するための複数のソケットと、
前記複数のソケットを支持するブラケットとを備える燃料配管であって、
前記ブラケットは、板状に形成されているとともに前記ソケットをそれぞれ支持している支持部同士が繋がっており、
前記インレットと前記ブラケットとを連結する支持台を有する燃料配管。
【発明の詳細な説明】
【技術分野】
【０００１】
本発明は、燃料配管に関する。
【背景技術】
【０００２】
特許文献１に記載の燃料配管は、内燃機関に設けられていて、燃料ポンプによって汲み上げられた燃料を燃料噴射弁に供給する経路の一部を構成している。燃料配管は、軸方向に長尺の筒形状に形成されている母管を有している。母管には、該母管に連結されているインレットを通じて燃料が流入する。母管の周壁には、上記軸方向に並んだ複数の流出孔が形成されている。母管の外周面には、流出孔を塞ぐように複数のソケットが連結されている。ソケットは一端が開口した筒状に形成されていて、その周壁には流入孔が形成されている。ソケットは、流入孔が母管の流出孔に接続されるように上記軸方向に複数並んで配置されている。ソケットの開口部には、燃料噴射弁が組み付けられる。母管に流入した燃料はソケットを通じて燃料噴射弁に供給される。
【０００３】
燃料配管は、母管やソケットなどを内燃機関の機関本体に固定するためのブラケットを有している。ブラケットは、板状に形成されていて、ソケットが連結されている。ブラケットに形成されたボルト挿通孔に挿通されたボルトによって燃料配管は機関本体に締結される。
【０００４】
燃料配管は、母管、インレット、ソケット、及びブラケットを各々成形した後、これらの部材を互いに接合することによって構成されている。
【先行技術文献】
【特許文献】
【０００５】
【特許文献１】特開２０１６‐２０６８５号公報
【発明の概要】
【発明が解決しようとする課題】
【０００６】
燃料配管では、母管に接合されているインレットに外力が作用する場合がある。インレットに作用する荷重の大きさや向きによっては、インレットと母管との接合箇所に応力が集中し、これらの接合が不充分な状態となることもある。特許文献１に記載の燃料配管では、こうした点については考慮されておらず、改善の余地がある。
【課題を解決するための手段】
【０００７】
上記課題を解決するための燃料配管は、筒形状に形成されている母管と、前記母管に接合されていて、該母管に燃料を流入させるためのインレットと、前記母管に接合されていて、前記母管に流入した燃料を燃料噴射弁に供給するための複数のソケットと、前記複数のソケットを支持するブラケットとを備える燃料配管であって、前記ブラケットは、板状に形成されているとともに前記ソケットをそれぞれ支持している支持部同士が繋がっており、前記インレットと前記ブラケットとを連結する支持台を有する。
【０００８】
上記構成では、インレットが母管とブラケットの双方に連結される。そのため、インレットに外力が作用したときに、母管だけでなく、支持台やブラケットにも荷重を分散させることができる。これにより、インレットに外力が作用したときに、インレットと母管との接合箇所のみに応力が集中することを抑えることができる。
【図面の簡単な説明】
【０００９】
【図１】燃料配管の一実施形態の構成を模式的に示す斜視図。
【図２】燃料配管の正面図。
【図３】燃料配管の平面図。
【図４】図３の４−４線に沿った断面図。
【図５】図３の５−５線に沿った断面図。
【図６】図３の６−６線に沿った断面図。
【図７】燃料配管に外力が作用しているときの状態を模式的に示す斜視図。
【発明を実施するための形態】
【００１０】
燃料配管の一実施形態について、図１〜図７を参照して説明する。本実施形態では、内燃機関の燃焼室に配置された燃料噴射弁に高圧の燃料を供給する燃料配管を例に説明する。
【００１１】
図１に示すように、燃料配管１００には、筒形状に形成されている母管１０が設けられている。以下では、母管１０の軸方向を単に軸方向という。母管１０は、例えば鋼材などの金属素材によって構成されていて、例えば押出成形や引抜成形などの方法によって製造されている。
【００１２】
図２及び図３に示すように、母管１０は、軸方向（図２の左右方向）に直管状に形成されている。図１及び図４に示すように、母管１０は、軸方向に延びる周壁１１と、該周壁１１の両端部に連結された一対の側壁１２とからなる。
【００１３】
図５に示すように、母管１０の周壁１１は、平板状に形成されている平板部１３と、該平板部１３から円弧状に湾曲して延びている湾曲部１４とからなる。図４に示すように、軸方向において、平板部１３の中心部分には、貫通孔１５が形成されている。また、平板部１３には、軸方向に並んだ複数の流出孔１６が形成されている。流出孔１６は、貫通孔１５よりも一方側（図４の右側）に配置されている第１流出孔１６Ａ、第１流出孔１６Ａと貫通孔１５との間に配置された第２流出孔１６Ｂ、貫通孔１５よりも他方側（図４の左側）に配置された第３流出孔１６Ｃ、及び第３流出孔１６Ｃよりも他方側に配置された第４流出孔１６Ｄからなる。平板部１３には、第１流出孔１６Ａが形成されている部分よりも一方側の端部に、接続孔１７が形成されている。母管１０には、平板部１３及び湾曲部１４によって囲まれて各孔に接続された流入通路１８が形成されている。
【００１４】
図１に示すように、母管１０の一端部（図１の左端部）には、インレット２０が連結されている。インレット２０は、円筒状に形成されていて、母管１０の周壁１１に連結されている大径部２１と、該大径部２１に連結されていて大径部２１よりも縮径された小径部２２とからなる。大径部２１の中心軸線は、小径部２２の中心軸線と同軸上に配置されている。図４に示すように、大径部２１は、母管１０における接続孔１７が形成されている部分に連結されている。大径部２１には接続孔１７と連通する図示しない孔が形成されていて、該孔を通じて大径部２１の内域と流入通路１８とが連通している。
【００１５】
図２に示すように、燃料配管１００の正面視において、インレット２０の中心軸線Ｌ２は、母管１０の中心軸線Ｌ１に対して所定角度θ１だけ傾いて配置されている。また、図３に示すように、燃料配管１００の平面視において、インレット２０の中心軸線Ｌ２は、母管１０の中心軸線Ｌ１に対して所定角度θ２だけ傾いて配置されている。インレット２０の小径部２２の外周面はねじ状に形成されている。
【００１６】
図７に示すように、小径部２２には燃料チューブ３００のユニオンナット３０１が締結されることで、インレット２０と燃料チューブ３００とが連結される。燃料チューブ３００には、図示しない内燃機関の高圧燃料ポンプから圧送された高圧の燃料が供給される。燃料チューブ３００に供給された燃料は、インレット２０を通じて母管１０の流入通路１８に流入する。
【００１７】
図１に示すように、燃料配管１００は、母管１０に連結された複数のソケット３０を有している。ソケット３０は、例えば板金をプレス加工することによって形成されている。図５に示すように、ソケット３０は、一端（図５の下端）が開口した筒状に形成されている連結本体部３１と、該連結本体部３１の開口部に設けられている鍔部３２とからなる。鍔部３２は、連結本体部３１から外側に延びていて、円環状に形成されている。
【００１８】
図３に示すように、ソケット３０の平面視において、連結本体部３１は、外周面が平面上に形成されている連結部３３と、該連結部３３から円弧状に湾曲して延びている壁部３４とを有している。連結本体部３１は、連結部３３が母管１０の平板部１３に連結されている。図５に示すように、連結部３３には、流入孔３３Ａが形成されている。
【００１９】
図４に示すように、母管１０には、第１流出孔１６Ａが配置されている部分に第１ソケット３０Ａが連結され、第２流出孔１６Ｂが配置されている部分に第２ソケット３０Ｂが連結されている。また、母管１０には、第３流出孔１６Ｃが配置されている部分に第３ソケット３０Ｃが連結され、第４流出孔１６Ｄが配置されている部分に第４ソケット３０Ｄが連結されている。各ソケット３０は、流入孔３３Ａが流出孔１６と連通するように配置されている。これにより、ソケット３０の内域と、母管１０の流入通路１８とは連通している。そのため、インレット２０を通じて母管１０の流入通路１８に流入した燃料は、流出孔１６及び流入孔３３Ａを通じて各ソケット３０に供給される。
【００２０】
図２に示すように各ソケット３０には、燃料噴射弁２００が組付けられる。ソケット３０に供給された燃料は、燃料噴射弁２００から内燃機関の燃焼室に噴射される。
図１に示すように、燃料配管１００には、各ソケット３０を支持するブラケット４０が設けられている。ブラケット４０は、板状に形成されている。ブラケット４０は、長方形板状に形成されている本体部５０と、該本体部５０から母管１０側に立設されたアーム部７０及びリブ８０とを有している。本体部５０は、長手方向（軸方向）と直交する短手方向の一端が母管１０の中心軸線Ｌ１の下方まで延びている。
【００２１】
図２に示すように、本体部５０には、軸方向に並んで複数の支持孔５６が形成されている。各支持孔５６は、ソケット３０の連結本体部３１の外形と同じ形状に形成されている。支持孔５６は、ソケット３０の配置に合わせて設けられている。図５に示すように、支持孔５６には、ソケット３０が挿通されている。ブラケット４０の本体部５０の下面とソケット３０の鍔部３２の上面とが当接した状態でブラケット４０にソケット３０が連結されている。
【００２２】
図１及び図３に示すように、ブラケット４０の本体部５０には、支持孔５６よりも直径の小さいボルト挿通孔５２が複数形成されている。ボルト挿通孔５２は、軸方向に並んで４つ設けられている。軸方向において最も一端側（図３の左側）に配置されているボルト挿通孔５２を第１ボルト挿通孔５２Ａという。軸方向において第１ボルト挿通孔５２Ａよりも他端側（図３の右側）に配置されているボルト挿通孔５２を第２ボルト挿通孔５２Ｂという。第２ボルト挿通孔５２Ｂは、軸方向において第１ソケット３０Ａと第２ソケット３０Ｂとの間に配置されている。軸方向において第２ボルト挿通孔５２Ｂよりも上記他端側に配置されているボルト挿通孔５２を第３ボルト挿通孔５２Ｃという。第３ボルト挿通孔５２Ｃは、軸方向において第３ソケット３０Ｃと第４ソケット３０Ｄとの間に配置されている。軸方向において第３ボルト挿通孔５２Ｃよりも上記他端側に配置されているボルト挿通孔５２を第４ボルト挿通孔５２Ｄという。各ボルト挿通孔５２は、本体部５０において支持孔５６よりも母管１０から離間する側に配置されている。
【００２３】
図２及び図３に示すように、ブラケット４０の本体部５０は、ボルト挿通孔５２が形成されている部分であるボルト締結部５１と、該ボルト締結部５１間の領域である中間部５３とを有する。第１ボルト挿通孔５２Ａが形成されている第１ボルト締結部５１Ａと、第２ボルト挿通孔５２Ｂが形成されている第２ボルト締結部５１Ｂとの間の第１中間部５４は、第１ソケット３０Ａを支持する第１支持孔５６Ａが形成されている第１支持部５５Ａと、第１支持部５５Ａよりも第２ボルト締結部５１Ｂ側の第１結合部５７とからなる。また、第２ボルト締結部５１Ｂと、第３ボルト挿通孔５２Ｃが形成されている第３ボルト締結部５１Ｃとの間の第２中間部５８は、第２支持部５５Ｂと、第２支持部５５Ｂよりも第３ボルト締結部５１Ｃ側の第２結合部５９と、第２結合部５９よりも第３ボルト締結部５１Ｃ側の第３支持部５５Ｃとからなる。第２支持部５５Ｂには、第２ソケット３０Ｂを支持する第２支持孔５６Ｂが形成されている。第３支持部５５Ｃには、第３ソケット３０Ｃを支持する第３支持孔５６Ｃが形成されている。
【００２４】
第３ボルト締結部５１Ｃと、第４ボルト挿通孔５２Ｄが形成されている第４ボルト締結部５１Ｄとの間の第３中間部６０は、第４ソケット３０Ｄを支持する第４支持孔５６Ｄが形成されている第４支持部５５Ｄと、第４支持部５５Ｄよりも第３ボルト締結部５１Ｃ側の第３結合部６１とからなる。すなわち、第１支持部５５Ａと第２支持部５５Ｂとは、第１結合部５７及び第２ボルト締結部５１Ｂによって繋がっており、第２支持部５５Ｂと第３支持部５５Ｃとは、第２結合部５９によって繋がっている。また、第３支持部５５Ｃと第４支持部５５Ｄとは、第３ボルト締結部５１Ｃ及び第３結合部６１によって繋がっている。このように、ブラケット４０の本体部５０は、ソケット３０をそれぞれ支持している各支持部５５同士が繋がっている。
【００２５】
第１ボルト締結部５１Ａには、該第１ボルト締結部５１Ａから立設された第１アーム部７１が設けられている。第１アーム部７１は、母管１０の外周面に沿って下方から上方に延びていて、平板部１３の途中まで延びている。第１アーム部７１は平板部１３に連結されている。
【００２６】
第１支持部５５Ａには、該第１支持部５５Ａから立設された第２アーム部７２が設けられている。図２に示すように、第２アーム部７２は、第１支持孔５６Ａよりも他端側（図２の右側）に配置されている。図６に示すように、第２アーム部７２は、本体部５０の一端から上方に立設された基端部７２Ａと、該基端部７２Ａの上端から湾曲して延びていて、母管１０の湾曲部１４及び平板部１３の外周面に沿って延びている下覆部７２Ｂとを有している。また、第２アーム部７２は、下覆部７２Ｂの上端から上方に延びていて、母管１０の平板部１３の外周面に沿って延びている中覆部７２Ｃと、中覆部７２Ｃの上端から湾曲して延びていて、母管１０の平板部１３及び湾曲部１４の外周面に沿って延びている上覆部７２Ｄとを有している。下覆部７２Ｂ、中覆部７２Ｃ、及び上覆部７２Ｄによって母管１０は周方向におけるソケット３０側の半周部分が覆われている。第２アーム部７２は母管１０の湾曲部１４及び平板部１３に連結されている。
【００２７】
図４に示すように、第１結合部５７には、該第１結合部５７から立設された第２左リブ８１が設けられている。第２左リブ８１は、軸方向に延びていて該軸方向における中央部分が両端部に比して母管１０側に突出した形状に形成されている。第２左リブ８１では、母管１０側の先端部は基端部に比して、軸方向長さが短い。
【００２８】
図３に示すように、第２ボルト締結部５１Ｂには、該第２ボルト締結部５１Ｂから立設された第３アーム部７３が設けられている。第３アーム部７３は、母管１０の外周面に沿って下方から上方に延びている。図２に示すように、第３アーム部７３は、第２左リブ８１側の第３左部７３Ａと、第３左部７３Ａから第２支持部５５Ｂ側に延びている第３右部７３Ｂとからなる。第３左部７３Ａは、第１アーム部７１と同様に、母管１０の平板部１３の途中まで延びていて、該平板部１３に連結されている。第３左部７３Ａの先端は、第３右部７３Ｂ側ほど平板部１３の上部側まで延びている。第３右部７３Ｂは、母管１０の湾曲部１４の上方を覆うように第３左部７３Ａよりも上側に延びている。第３右部７３Ｂは、第２アーム部７２と同様に、母管１０の湾曲部１４及び平板部１３に連結されている。
【００２９】
第２支持部５５Ｂには、該第２支持部５５Ｂから立設された第４アーム部７４が設けられている。第４アーム部７４は、第２支持孔５６Ｂよりも他端側（図２の右側）に配置されている。第４アーム部７４は、母管１０の湾曲部１４及び平板部１３の外周面に沿って上方に延びていて、母管１０の周方向における半周部分を覆っている。第４アーム部７４は、第２アーム部７２と同様に、母管１０の湾曲部１４及び平板部１３に連結されている。
【００３０】
図１〜図４に示すように、第２結合部５９には、ホルダ９０が連結されている。ホルダ９０は、ブラケット４０の本体部５０に連結されていて有底筒状に形成されている土台部９１を有している。土台部９１は、底側の一端部がブラケット４０に連結されており、他端部が開口している。土台部９１の他端部にはフランジ部９２が設けられている。図３に示すように、フランジ部９２は、土台部９１の開口９１Ａの周縁から外側に延びていて、平面視において三角形状に形成されている。フランジ部９２は、平面視においてその一部が母管１０に重なるように母管１０の上方まで延びている。フランジ部９２には、土台部９１の開口９１Ａを挟むようにして軸方向に並んだ締結孔９２Ａが形成されている。図４に示すように、ホルダ９０の土台部９１は、母管１０における貫通孔１５が形成されている部分に連結されている。土台部９１には貫通孔１５と連通する図示しない孔が形成されていて、該孔を通じて流入通路１８から土台部９１に燃料が流入する。ホルダ９０には、開口９１Ａを塞ぐようにして母管１０内の燃料圧力を検出する図示しないセンサが組付けられる。センサは、フランジ部９２の締結孔９２Ａに挿通されたボルトによってホルダ９０に固定され、土台部９１に流入した燃料の圧力を、母管１０内の燃料圧力として検出する。なお、第２結合部５９を含む第２中間部５８が、ホルダ９０が接合されている中間部５３である。
【００３１】
また、図４に示すように、第２結合部５９には、該第２結合部５９から立設された第１リブ８２が設けられている。第１リブ８２は、軸方向に延びていて該軸方向における中央部分が両端部に比して母管１０側に突出した形状に形成されている。第１リブ８２では、母管１０側の先端部は基端部に比して、軸方向長さが短い。第１リブ８２における基端部の軸方向長さｄ１は、第２左リブ８１における基端部の軸方向長さｄ２よりも長い（ｄ１＞ｄ２）。また、第１リブ８２の立設高さｈ１は、第２左リブ８１の立設高さｈ２と等しい（ｈ１＝ｈ２）。
【００３２】
図２に示すように、第３支持部５５Ｃには、該第３支持部５５Ｃから立設された第５アーム部７５が設けられている。第５アーム部７５は、第３支持孔５６Ｃよりも一端側（図２の左側）に配置されている。第５アーム部７５は、母管１０の湾曲部１４及び平板部１３の外周面に沿って上方に延びていて、母管１０の周方向における半周部分を覆っている。第５アーム部７５は、第２アーム部７２と同様に、母管１０の湾曲部１４及び平板部１３に連結されている。
【００３３】
第３ボルト締結部５１Ｃには、該第３ボルト締結部５１Ｃから立設された第６アーム部７６が設けられている。第６アーム部７６は、母管１０の外周面に沿って下方から上方に延びている。図２に示すように、第６アーム部７６は、第３支持部５５Ｃ側に配置された第６左部７６Ａと、第６左部７６Ａから第３結合部６１側に延びている第６右部７６Ｂとからなる。第６左部７６Ａは、母管１０の湾曲部１４及び平板部１３の外周面に沿って上方に延びていて、母管１０の周方向における半周部分を覆っている。第６左部７６Ａは、第２アーム部７２と同様に、母管１０の湾曲部１４及び平板部１３に連結されている。第６右部７６Ｂは、第１アーム部７１と同様に、母管１０の平板部１３の途中まで延びていて、該平板部１３に連結されている。第６右部７６Ｂの先端は、第６左部７６Ａ側ほど平板部１３の上部側まで延びている。
【００３４】
図４に示すように、第３結合部６１には、該第３結合部６１から立設された第２右リブ８３が設けられている。第２右リブ８３は、軸方向に延びていて該軸方向における中央部分が両端部に比して母管１０側に突出した形状に形成されている。第２右リブ８３では、母管１０側の先端部は基端部に比して、軸方向長さが短い。第２右リブ８３における基端部の軸方向長さｄ３は、第２左リブ８１における基端部の軸方向長さｄ２と等しく（ｄ３＝ｄ２）、第２右リブ８３の立設高さｈ３は、第２左リブ８１の立設高さｈ２と等しい（ｈ３＝ｈ２）。すなわち、第２右リブ８３における基端部の軸方向長さｄ３は、第１リブ８２における基端部の軸方向長さｄ１よりも短く（ｄ３＜ｄ１）、第２右リブ８３の立設高さｈ３は第１リブ８２の立設高さｈ１と等しい（ｈ３＝ｈ１）。
【００３５】
図２に示すように、第４支持部５５Ｄには、該第４支持部５５Ｄから立設された第７アーム部７７が設けられている。第７アーム部７７は、第４支持孔５６Ｄよりも一端側（図２の左側）に配置されている。第７アーム部７７は、母管１０の湾曲部１４及び平板部１３の外周面に沿って上方に延びていて、母管１０の周方向における半周部分を覆っている。第７アーム部７７は、第２アーム部７２と同様に、母管１０の湾曲部１４及び平板部１３に連結されている。
【００３６】
第４ボルト締結部５１Ｄには、該第４ボルト締結部５１Ｄから立設された第８アーム部７８が設けられている。第８アーム部７８は、母管１０の外周面に沿って下方から上方に延びている。第８アーム部７８は、第１アーム部７１と同様に、母管１０の平板部１３の途中まで延びていて、該平板部１３に連結されている。
【００３７】
また、図１〜図４に示すように、ブラケット４０の本体部５０は、第１ボルト締結部５１Ａから一端側（図２の左側）に延びていて、インレット２０よりも下方に配置されている延設部６２を有している。ブラケット４０は、例えば板金をプレス加工することによって形成されている。すなわち、ブラケット４０の本体部５０、アーム部７０、及びリブ８０を展開した平面形状を板金から型抜きした後、型抜きした板金をプレス加工によって折り曲げて立体形状のブラケット４０を成形する。ブラケット４０の延設部６２には、支持台９５が連結されている。支持台９５は四角柱形状に形成されていて、一端部がブラケット４０に連結されているとともに、他端部がインレット２０の大径部２１に連結されている。支持台９５は、インレット２０とブラケット４０とを繋いでいる。
【００３８】
燃料配管１００では、母管１０、ソケット３０、ブラケット４０、ホルダ９０、及び支持台９５をそれぞれ成形した後、これらを互いにロウ付けすることによって上記各連結箇所を接合する。本実施形態では、燃料配管１００を炉中ロウ付けによってロウ付けする。そのため、各部材は、ロウ材が溶融する程度の温度まで熱せられる。燃料配管１００は、各部材が接合された後、ブラケット４０の各ボルト挿通孔５２に挿通されたボルトを内燃機関のボルト孔に締結することで、内燃機関に組付けられる。
【００３９】
本実施形態の作用及び効果について説明する。
（１）図７に示すように、燃料配管１００が内燃機関５００に組付けられている状態では、燃料配管１００の周囲に種々の部品が配置された状態となる。例えば車両の前突時などには、図７に実線の矢印で示すように外力が作用し、燃料配管１００の周囲に配置されている部品４００が図７に実線で示す位置から図７に二点鎖線で示す位置まで移動して燃料配管１００のインレット２０に干渉する。
【００４０】
本実施形態では、インレット２０は、母管１０だけでなく、支持台９５によってブラケット４０に連結されている。そのため、図７に白抜き矢印で示すように、インレット２０に外力が作用したときには、母管１０だけでなく、支持台９５やブラケット４０にも荷重を分散させることができる。これにより、インレット２０に外力が作用したときに、インレット２０と母管１０との接合箇所のみに応力が集中することを抑えることができる。
【００４１】
（２）本実施形態では、ブラケット４０の本体部５０では、延設部６２をインレット２０の下方まで延設しているとともに、延設部６２、ボルト締結部５１、及び中間部５３が連続して構成されている。そのため、インレット２０から支持台９５を通じて延設部６２に伝えられた荷重は、ブラケット４０の本体部５０全体に分散させることができ、ブラケット４０の一部のみに荷重が集中することを抑えることができる。
【００４２】
（３）図７に示すように、本実施形態では、支持台９５のブラケット４０側の一端部が内燃機関５００の側面側に配置され、支持台９５のインレット２０側の他端部が部品４００側に配置されるように燃料配管１００が内燃機関５００に組付けられている。そのため、上述した車両の前突時などには、荷重の作用方向において、支持台９５がインレット２０を挟んで部品４００の反対側に配置されることとなり、インレット２０から支持台９５への荷重の伝達効率を高めることもできる。これにより、インレット２０に外力が作用したときに、該インレット２０から母管１０に伝達される荷重を少なくすることも可能になる。したがって、インレット２０に作用する荷重を母管１０ではなくブラケット４０に効率良く伝達させる上で、その構成を適切にできる。
【００４３】
（４）ブラケット４０では、本体部５０のボルト締結部５１にアーム部７０が設けられている。そして、アーム部７０が母管１０に接合されている。そのため、燃料配管１００を内燃機関５００にボルト締結するためのボルト締結部５１の剛性を部分的に高めて、ボルト締結部５１におけるボルト締結面の平面を保持しやすくできる。これにより、ボルト締結による締結力の低下を抑えて、燃料配管１００を内燃機関５００に組付けた後の保持性を高めることにも貢献できる。
【００４４】
（５）第２アーム部７２、第３アーム部７３、第４アーム部７４、第５アーム部７５、第６アーム部７６、及び第７アーム部７７を母管１０の平板部１３及び湾曲部１４の双方に接合している。そのため、母管１０とブラケット４０との接合強度を高めて、燃料配管１００全体の剛性向上を図ることができる。
【００４５】
本実施形態は、以下のように変更して実施することができる。本実施形態及び以下の変更例は、技術的に矛盾しない範囲で互いに組み合わせて実施することができる。
・燃料配管１００にホルダ９０を設けなくてもよい。
【００４６】
・インレット２０の中心軸線Ｌ２の延びる方向は適宜変更が可能である。例えば、インレット２０を母管１０の側壁１２に連結して、該インレット２０の中心軸線Ｌ２を母管１０の中心軸線Ｌ１と平行にすることも可能である。
【００４７】
・支持台９５の形状は適宜変更可能である。例えば、支持台９５の断面形状を円形状や四角以外の多角形状に形成してもよい。また、支持台９５の断面積がブラケット４０の延設部６２側ほど大きくなるように支持台９５の断面形状を設定してもよいし、支持台９５の断面積が延設部６２側ほど小さくなるように支持台９５の断面形状を設定してもよい。
【００４８】
・上記実施形態では、インレット２０と支持台９５とを別々に成形した後にこれらを接合したが、インレット２０と支持台９５とを一体物として成形するようにしてもよい。
・ブラケット４０に設けられるアーム部７０の数や形状は適宜変更が可能である。また、燃料配管１００のソケット３０の数や形状も適宜変更が可能である。ソケット３０の数を変更した場合には、該ソケット３０の数に合わせてブラケット４０に形成される支持孔５６の数も変更すればよい。
【符号の説明】
【００４９】
１０…母管、１１…周壁、１２…側壁、１３…平板部、１４…湾曲部、１５…貫通孔、１６…流出孔、１６Ａ…第１流出孔、１６Ｂ…第２流出孔、１６Ｃ…第３流出孔、１６Ｄ…第４流出孔、１７…接続孔、１８…流入通路、２０…インレット、２１…大径部、２２…小径部、３０…ソケット、３０Ａ…第１ソケット、３０Ｂ…第２ソケット、３０Ｃ…第３ソケット、３０Ｄ…第４ソケット、３１…連結本体部、３２…鍔部、３３…連結部、３３Ａ…流入孔、３４…壁部、４０…ブラケット、５０…本体部、５１…ボルト締結部、５１Ａ…第１ボルト締結部、５１Ｂ…第２ボルト締結部、５１Ｃ…第３ボルト締結部、５１Ｄ…第４ボルト締結部、５２…ボルト挿通孔、５２Ａ…第１ボルト挿通孔、５２Ｂ…第２ボルト挿通孔、５２Ｃ…第３ボルト挿通孔、５２Ｄ…第４ボルト挿通孔、５３…中間部、５４…第１中間部、５５…支持部、５５Ａ…第１支持部、５５Ｂ…第２支持部、５５Ｃ…第３支持部、５５Ｄ…第４支持部、５６…支持孔、５６Ａ…第１支持孔、５６Ｂ…第２支持孔、５６Ｃ…第３支持孔、５６Ｄ…第４支持孔、５７…第１結合部、５８…第２中間部、５９…第２結合部、６０…第３中間部、６１…第３結合部、６２…延設部、７０…アーム部、７１…第１アーム部、７２…第２アーム部、７２Ａ…基端部、７２Ｂ…下覆部、７２Ｃ…中覆部、７２Ｄ…上覆部、７３…第３アーム部、７３Ａ…第３左部、７３Ｂ…第３右部、７４…第４アーム部、７５…第５アーム部、７６…第６アーム部、７６Ａ…第６左部、７６Ｂ…第６右部、７７…第７アーム部、７８…第８アーム部、８０…リブ、８１…第２左リブ、８２…第１リブ、８３…第２右リブ、９０…ホルダ、９１…土台部、９１Ａ…開口、９２…フランジ部、９２Ａ…締結孔、９５…支持台、１００…燃料配管、２００…燃料噴射弁、３００…燃料チューブ、３０１…ユニオンナット、４００…部品、５００…内燃機関。
【図１】
2019108864.tif 000003
【図２】
2019108864.tif 000004
【図３】
2019108864.tif 000005
【図４】
2019108864.tif 000006
【図５】
2019108864.tif 000007
【図６】
2019108864.tif 000008
【図７】
2019108864.tif 000009